(57)【特許請求の範囲】
【請求項１】
中空の一方のポール内に他方のポールが挿通され、前記一方のポールを固定側、前記他方のポールを可動側として、前記一方のポールに対して前記他方のポールを伸縮方向にスライドさせる形式、又は前記一方のポールを可動側、前記他方のポールを固定側として、前記一方のポールを前記他方のポール上でスライドさせる形式、の前記一方のポールと前記他方のポールとのロックに用いるフレキシブルロックユニットであって、
全体が略筒状を呈し、前記一方のポールを挿着可能な一方のポール連結部、前記一方のポール連結部に連通し、前記一方のポール内に通される前記他方のポールを挿通可能な他方のポール挿通部、及び前記他方のポール挿通部の周面の軸方向中間部に透孔を有する操作部材取付部を具備するハウジングと、
前記ハウジングの前記他方のポール挿通部内で当該挿通部に挿通される前記他方のポールに通されて、前記他方のポール上に相互に対向して配置される一対の環状ロック部材と、
前記他方のポール挿通部内で当該挿通部に挿通される前記他方のポールに通されて、前記他方のポール上で前記各環状ロック部材の外側に配置され、前記各環状ロック部材側の面を斜めに形成されて当該両面が略ハの字形をなし、前記各環状ロック部材を略ハの字形に斜めに押圧案内する一対の筒状押圧部材、前記他方のポール挿通部内で前記操作部材取付部に対向する位置に配置固定され、前記各環状ロック部材に対向する面を略ハの字形の斜めに形成されて、前記各環状ロック部材を略ハの字形に斜めに支持案内するガイドストッパー、及び前記他方のポール挿通部内で前記各筒状押圧部材の外側に配置され、前記各筒状押圧部材を内側に向けて押圧し、前記各筒状押圧部材の各斜めの面と前記ガイドストッパーの各斜めの面との間で前記各環状ロック部材を前記他方のポールに対して略ハの字形に圧接する一対のコイルスプリングとを有し、前記各環状ロック部材を前記他方のポールに対して略ハの字形に斜めに押圧する押圧ロック機構と、
前記ハウジングの操作部材取付部の透孔を通じ前記操作部材取付部と前記他方のポール挿通部との間に通され、前記操作部材取付部側の端部に操作ボタンを有し、前記他方のポール挿通部側の端部に前記各環状ロック部材間を当該各環状ロック部材を略平行に又は略平行に近づけるように押し開き可能なクサビ形形状部を有し、前記クサビ形形状部を各環状ロック部材間に挿入し当該各環状ロック部材を略平行に又は略平行に近づけるように押し開くロック解除位置と前記ロック解除位置から引き離されるロック位置との間を進退可能に配置される操作部材、及び前記ハウジングと前記操作部材との間に介装され、常態として前記操作部材を前記ロック位置に保持するばね部材と、
を備え、
常態として、前記他方のポール挿通部内で前記他方のポールを前記各環状ロック部材により略ハの字形に圧接してロックし、
前記操作ボタンのワンタッチの押操作により、前記他方のポール挿通部内で前記クサビ形形状部により前記各環状ロック部材間を押し開き、前記他方のポールのロックを解除する、
ことを特徴とするフレキシブルロックユニット。
【請求項２】
ハウジングの他方のポール挿通部の外周面に操作部材取付部が所定の厚さで凸状に形成され、前記操作部材取付部の略中央に透孔、その両側にばね部材としてコイルスプリングを装填するための溝がそれぞれ形成され、操作部材は、操作ボタンがケース状又は板状に形成され、前記操作ボタンの内面の略中央にクサビ形形状部、その両側に凸部がそれぞれ突設されて、前記クサビ形形状部材が前記透孔に挿通されるとともに、前記各凸部が前記各溝内にコイルスプリングを介して配置されて、前記ハウジングの前記操作部材取付部に装着される請求項１に記載のフレキシブルロックユニット。
【発明の詳細な説明】
【技術分野】
【０００１】
本発明は、伸縮式のポールなど、中空の一方のポール内に他方のポールが挿通され、一方のポールを固定側、他方のポールを可動側として、一方のポールに対して他方のポールを伸縮方向にスライドさせる形式や、モニター支持スタンドなど、中空の一方のポール内に他方のポールが挿通され、一方のポールを可動側、他方のポールを固定側として、一方のポールを他方のポール上でスライドさせる形式の、一方のポールと他方のポールとのロックに用いるフレキシブルロックユニットに関する。
【背景技術】
【０００２】
一般に、医療機関で使用される点滴スタンドは、スタンド本体の高さを調節可能にロックユニット付きの伸縮式のポールが用いられる。
この種の点滴スタンドが特許文献１などにより提案されている。
この文献１からも明らかなように、この種の伸縮式のポールは、金属製のパイプからなる下部側の固定側のポールと、この固定側のポールに上下方向にスライド可能に嵌挿される金属製のパイプからなる上部側の伸縮側のポールとにより構成され、固定側のポールの上端部にこのポールの上端部から延ばされる伸縮側のポールを所定の高さでロックするためのロックユニットが設けられる。このロックユニットは、固定側のポールの上端部付近に設けられたねじ孔と、このねじ孔にねじ込まれるグリップ又はつまみ付きのボルトとからなり、固定側のポールの上端部から伸縮側のポールを引き上げ又は押し下げながら必要な高さまでスライドさせて高さを調節した後、グリップ又はつまみを回すことによりボルトを固定側のポールのねじ孔に締め込み、ボルトの先端で伸縮側のポールの外周面を押圧することによりロックするようになっている。
【先行技術文献】
【特許文献】
【０００３】
【特許文献１】特開２０１３−１７６５４公報
【発明の概要】
【発明が解決しようとする課題】
【０００４】
しかしながら、上記従来のロックユニットは、ねじ式で、伸縮式のポールの高さ又は長さを調節するときに、グリップ又はつまみを回してボルトを緩め、伸縮式のポールの高さ又は長さを調節した後に、再び、グリップ又はつまみを回してボルトを締め込むようになっているため、ロックユニットの操作が煩雑で、伸縮式のポールのロック及びロック解除に手間が掛かり、伸縮式のポールの高さ又は長さの調節が容易とは言い難い、という問題がある。
【０００５】
本発明は、このような従来の問題を解決するもので、この種のロックユニットにおいて、簡単な操作で、一方のポールと他方のポールとのロック及びロック解除を確実かつ瞬時に行えるようにすること、を目的とする。
【課題を解決するための手段】
【０００６】
上記目的を達成するために、本発明は、
中空の一方のポール内に他方のポールが挿通され、前記一方のポールを固定側、前記他方のポールを可動側として、前記一方のポールに対して前記他方のポールを伸縮方向にスライドさせる形式、又は前記一方のポールを可動側、前記他方のポールを固定側として、前記一方のポールを前記他方のポール上でスライドさせる形式、の前記一方のポールと前記他方のポールとのロックに用いるフレキシブルロックユニットであって、
全体が略筒状を呈し、前記一方のポールを挿着可能な一方のポール連結部、前記一方のポール連結部に連通し、前記一方のポール内に通される前記他方のポールを挿通可能な他方のポール挿通部、及び前記他方のポール挿通部の周面の軸方向中間部に透孔を有する操作部材取付部を具備するハウジングと、
前記ハウジングの前記他方のポール挿通部内で当該挿通部に挿通される前記他方のポールに通されて、前記他方のポール上に相互に対向して配置される一対の環状ロック部材と、
前記他方のポール挿通部内で当該挿通部に挿通される前記他方のポールに通されて、前記他方のポール上で前記各環状ロック部材の外側に配置され、前記各環状ロック部材側の面を斜めに形成されて当該両面が略ハの字形をなし、前記各環状ロック部材を略ハの字形に斜めに押圧案内する一対の筒状押圧部材、前記他方のポール挿通部内で前記操作部材取付部に対向する位置に配置固定され、前記各環状ロック部材に対向する面を略ハの字形の斜めに形成されて、前記各環状ロック部材を略ハの字形に斜めに支持案内するガイドストッパー、及び前記他方のポール挿通部内で前記各筒状押圧部材の外側に配置され、前記各筒状押圧部材を内側に向けて押圧し、前記各筒状押圧部材の各斜めの面と前記ガイドストッパーの各斜めの面との間で前記各環状ロック部材を前記他方のポールに対して略ハの字形に圧接する一対のコイルスプリングとを有し、前記各環状ロック部材を前記他方のポールに対して略ハの字形に斜めに押圧する押圧ロック機構と、
前記ハウジングの操作部材取付部の透孔を通じ前記操作部材取付部と前記他方のポール挿通部との間に通され、前記操作部材取付部側の端部に操作ボタンを有し、前記他方のポール挿通部側の端部に前記各環状ロック部材間を当該各環状ロック部材を略平行に又は略平行に近づけるように押し開き可能なクサビ形形状部を有し、前記クサビ形形状部を各環状ロック部材間に挿入し当該各環状ロック部材を略平行に又は略平行に近づけるように押し開くロック解除位置と前記ロック解除位置から引き離されるロック位置との間を進退可能に配置される操作部材、及び前記ハウジングと前記操作部材との間に介装され、常態として前記操作部材を前記ロック位置に保持するばね部材と、
を備え、
常態として、前記他方のポール挿通部内で前記他方のポールを前記各環状ロック部材により略ハの字形に圧接してロックし、
前記操作ボタンのワンタッチの押操作により、前記他方のポール挿通部内で前記クサビ形形状部により前記各環状ロック部材間を押し開き、前記他方のポールのロックを解除する、
ことを要旨とする。
この場合、ハウジングの他方のポール挿通部の外周面に操作部材取付部が所定の厚さで凸状に形成され、前記操作部材取付部の略中央に透孔、その両側にばね部材としてコイルスプリングを装填するための溝がそれぞれ形成され、操作部材は、操作ボタンがケース状又は板状に形成され、前記操作ボタンの内面の略中央にクサビ形形状部、その両側に凸部がそれぞれ突設されて、前記クサビ形形状部材が前記透孔に挿通されるとともに、前記各凸部が前記各溝内にコイルスプリングを介して配置されて、前記ハウジングの前記操作部材取付部に装着されることが好ましい。
【発明の効果】
【０００７】
本発明のフレキシブルロックユニットによれば、上記の構成により、常態として、ハウジングの他方のポール挿通部内で他方のポールを押圧ロック機構に押圧された一対の環状ロック部材により略ハの字形に圧接してロックし、操作ボタンのワンタッチの押操作により、他方のポール挿通部内でクサビ形形状部により各環状ロック部材間を押し開き、他方のポールのロックを解除するようにしたので、簡単な装置構成のフレキシブルロックユニットの簡単な操作で、一方のポールと他方のポールのロック及びロック解除を確実かつ瞬時に行うことができる、という本発明独自の格別な効果を奏する。
【図面の簡単な説明】
【０００８】
【図１】本発明の一実施の形態におけるフレキシブルロックユニットを示す図（斜視図）
【図２】同ロックユニットの各部の構成を示す図（（ａ）は操作ボタン側から見た図（ｂ）はハウジングの端面（短縮側ポール挿通部の端面）側から見た図（ｃ）は操作ボタンの側方から見た図（ｄ）は（ｃ）の断面図）
【図３】同ロックユニットを点滴スタンドに用いた場合の使用例を示す図（（１）はロックユニットのロック状態の図（２）はロックユニットのロック解除状態の図）
【図４】同ロックユニットを上下スライド式のモニター用支持スタンドに用いた場合の使用例を示す図
【図５】同ロックユニットを水平方向スライド式のモニター用支持装置に用いた場合の使用例を示す図
【発明を実施するための形態】
【０００９】
次に、この発明の実施の形態について図を用いて説明する。
このフレキシブルロックユニットは、中空の一方のポール内に他方のポールが挿通され、一方のポールを固定側、他方のポールを可動側として、一方のポールに対して他方のポールを伸縮方向にスライドさせる形式、又は一方のポールを可動側、他方のポールを固定側として、一方のポールを他方のポール上でスライドさせる形式、の一方のポールと他方のポールとをロックするのに用いられるもので、従来の技術で例示した点滴スタンドなどの伸縮式ポールの他、さまざまなものに適用可能である。
ここでは、このフレキシブルロックユニットを、上記前者の形式の具体例の一つとして、伸縮式ポール用のロックユニットＵ（以下、単にロックユニットＵという。）として例示している。
【００１０】
図１に示すように、このロックユニットＵは、固定側のポールＰ１の一端部に設けられて、固定側のポール（中空の一方のポール）Ｐ１内にスライド可能に挿通され、固定側のポールＰ１の一端部から延ばされる伸縮側のポール（他方のポール）Ｐ２を所定の高さ又は長さでロックする形式のもので、全体が略筒状を呈し、一端に固定側のポールＰ１を挿着可能な固定側ポール連結部（一方のポール連結部）１１、固定側ポール連結部１１に連通し、この固定側ポール連結部１１と他端との間に伸縮側のポールＰ２を挿通可能な伸縮側ポール挿通部（他方のポール挿通部）１２、及び伸縮側ポール挿通部１２の周面の軸方向中間部に透孔１３０（図２（ｄ）参照）を有する操作部材取付部１３を具備するハウジング１と、ハウジング１の伸縮側ポール挿通部１２内でこの挿通部１２に挿通される伸縮側ポールＰ２に通されて、伸縮側ポールＰ２上に相互に対向して配置される一対の環状ロック部材２、及び一対の環状ロック部材２を伸縮側ポールＰ２に対して略ハの字形に斜めに押圧する押圧ロック機構３と、ハウジング１の操作部材取付部１３の透孔１３０を通じ操作部材取付部１３と伸縮側ポール挿通部１２との間に通され、操作部材取付部１３側の端部に操作ボタン４０を有し、伸縮側ポール挿通部１２側の端部に各環状ロック部材２間を各環状ロック部材２を略平行に又は略平行に近づけるように押し開き可能なクサビ形形状部４１（図２（ｄ）参照）を有し、このクサビ形形状部４１を各環状ロック部材２間に挿入し各環状ロック部材２を略平行に又は略平行に近づけるように押し開くロック解除位置とこのロック解除位置から引き離されるロック位置との間を進退可能に配置される操作部材４、及びハウジング１と操作部材４との間に介装され、常態として操作部材４をロック位置に保持するばね部材５（図２（ｄ）参照）とを備えて構成される。
【００１１】
図２に示すように、ハウジング１は全体が略円筒形に形成される。固定側ポール連結部１１は、ハウジング１の一端面から固定側のポールＰ１を差し込み可能に、ハウジング１の一端がこのハウジング１の一端面を開口されて有底の円筒形に形成される。伸縮側ポール挿通部１２は固定側ポール連結部１１とハウジング１の他端との間に内径が固定側ポール連結部１１の内径より大きい円筒形に形成されて、固定側ポール連結部１１の奥の面（底部）及びハウジング１の他端面に伸縮側のポールＰ２が挿通可能な開口１２０が設けられる。なお、この場合、固定側ポール連結部１１の底部の伸縮側ポール挿通部１２側の面の開口１２０周囲にばね受け１２１が設けられる。また、ハウジング１の他端面は伸縮側のポールＰ２の外径よりも大きく開口されていて、この開口に伸縮側のポールＰ２が挿通可能な開口１２０を有するリング部材１２２が取り付けられて伸縮側のポールＰ２が挿通可能な開口１２０が形成される。このリング部材１２２の伸縮側ポール挿通部１２側の面の開口１２０周囲にはばね受け１２１が設けられる。
【００１２】
図２（ｄ）に示すように、押圧ロック機構３は、伸縮側ポール挿通部１２内でこの挿通部１２に挿通される伸縮側のポールＰ２に通されて、伸縮側のポールＰ２上で各環状ロック部材２の外側に配置され、各環状ロック部材２側の面３１１を斜め（斜め下向き）に形成されて当該両面３１１が略ハの字形をなし、各環状ロック部材２を略ハの字形に斜めに押圧案内する一対の筒状押圧部材３１と、伸縮側ポール挿通部１２内で操作部材取付部１３に対向する位置に配置固定され、各環状ロック部材２に対向する両面３２１を略ハの字形の斜めに形成されて、各環状ロック部材２を略ハの字形に斜めに支持案内するガイドストッパー３２と、伸縮側ポール挿通部１２内で各筒状押圧部材３１の外側に配置され、各筒状押圧部材３１を内側に向けて押圧し、各筒状押圧部材３１の各斜めの面３１１とガイドストッパー３２の各斜めの面３２１との間で各環状ロック部材２を伸縮側のポールＰ２に対して略ハの字形に圧接する一対のコイルスプリング３３とを有してなる。
ここで、各環状ロック部材２は略小判形の部材からなり、その中心に伸縮側のポールＰ２の外径よりも少し大きい内径の穴２０を有する。なお、各環状ロック部材２の穴２０の周囲、この場合、上下対称の位置に小さな孔が併せて設けられる。
各筒状押圧部材３１は、各環状ロック部材２の形状に対応して、断面略小判形の略筒形の部材からなり、その軸芯に伸縮側のポールＰ２の外径よりも少し大きい内径の穴３０を有し、各筒状押圧部材３１相互に対向する側の一端面３１１が軸芯に対して所定角度の斜め下向きに形成され、他端面３１２は軸芯に対して略直角に形成されて、ばね受け３１３が設けられる。なお、各筒状押圧部材３１の一端面３１１の孔３０の周囲、この場合、上下対称の位置に各環状ロック部材の各孔に係合可能な突起が併せて設けられる。各筒状押圧部材３１の一端面３１１に各環状ロック部材２が合せられるとともに、各筒状押圧部材３１の各突起が各環状ロック部材２の各孔に嵌挿されて、各筒状押圧部材３１の一端面３１１上に各環状ロック部材２が回り止めされて組み付けられる。
ガイドストッパー３２は、伸縮側ポール挿通部１２の内周面で操作部材取付部１３に対向する位置に断面略台形の凸状に形成され、各環状ロック部材２に対向する各面３２１が略ハの字形の斜めの面を呈する。
一対のコイルスプリング３３は一方が伸縮側のポールＰ２の一端側に巻き掛けられて、一端が固定側ポール連結部１１底部のばね受け１２１に固定され、他端が一方の筒状押圧部材３１他端面３１２のばね受け３１３に固定され、他方が伸縮側のポールＰ２の他端側に巻き掛けられて、一端が伸縮側ポール挿通部１２の他端、この場合、リング部材１２２周囲のばね受け１２１に固定され、他端が他方の筒状押圧部材３１他端面３１２のばね受け３１３に固定される。
【００１３】
図２に示すように、操作部材取付部１３はハウジング１の伸縮側ポール挿通部１２の外周面に所定の厚さで略直方体状の凸状に形成され、操作部材取付部１３の略中央に透孔１３０、その両側にばね部材５としてコイルスプリングを装填するための溝１３１、さらにその両側に平板状のガイド片４３を挿入可能なガイドスリット１３２がそれぞれ形成される。
操作部材４は、操作ボタン４０が操作部材取付部１３より少し大きいハウジング１の周面に沿う断面円弧状で平面視矩形状のケース状又は板状に形成され、操作ボタン４０の内面の略中央にクサビ形形状部４１、その両側に凸部４２、さらにその両側に平板状のガイド片４３がそれぞれ突設されて、クサビ形形状部材４１が操作部材取付部１３の透孔１３０に挿通されるとともに、各凸部４２が操作部材取付部１３の各溝１３１内にコイルスプリング５を介して配置され、各ガイド片４３が操作部材取付部１３の各ガイドスリット１３２に挿入されて、ハウジング１の操作部材取付部１３上に装着される。
【００１４】
このようにしてロックユニットＵは構成され、常態として、伸縮側のポールＰ２を各環状ロック部材２により略ハの字形に圧接してロックし、操作ボタン４０のワンタッチの押操作により、伸縮側ポール挿通部１２内でクサビ形形状部４１により各環状ロック部材２間を押し開き、伸縮側のポールＰ２のロックを解除するようになっている。
【００１５】
図３にこのロックユニットＵを、例えば、医療機関で使用される点滴スタンドの伸縮式ポールに用いた場合を例示している。この場合、ロックユニットＵの操作、ロックユニットＵによるロック、ロック解除、及び点滴スタンドの高さ調節は、次のようにして行われる。
この場合、ロックユニットＵは、図３（１）に示すように、固定側のポールＰ１の上端部に設けられ、固定側のポールＰ１の上端部から伸縮される伸縮側のポールＰ２は、常態として、ロックユニットＵの一対の環状ロック部材２により略ハの字形に圧接され、すなわち、各環状ロック部材２は高位置の内周縁部が伸縮側のポールＰ２の上部に、低位置の内周縁部が伸縮側のポールＰ２の下部に、それぞれ、圧接して、ロックされる。これにより、伸縮側のポールＰ２は固定側のポールＰ１から伸ばすことも縮めることもできない。
そこで、まず、図３（２）に示すように、操作部材４の操作ボタン４０を手操作によりワンタッチで押す。このとき、操作ボタン４０が断面円弧状で平面視矩形状のケース状又は板状に形成されているので、手のひらで押しやすく、この操作ボタン４０を押したままロックユニットのハウジング１を握るようにすれば、操作ボタン４０の押状態を簡単に維持することができる。また、このとき、操作ボタン４０の内面の中央のクサビ形形状部４１は、その両側のガイド片４３と操作部材取付部１３の両側のガイドスリット１３２との係合案内により、ロック位置からロック解除位置に確実に挿入される。これにより、ハウジング１の伸縮側ポール挿通部１２内で操作部材４のクサビ形形状部４１により各環状ロック部材２間が押し開かれ、各環状ロック部材２が略平行に又は略平行に近づくように立ち上げられて、各環状ロック部材２の高位置の内周縁部が伸縮側のポールＰ２の上部から、低位置の内周縁部が伸縮側のポールＰ２の下部からそれぞれ離されて、伸縮側のポールＰ２のロックが解除される。この状態で（手操作で操作ボタン４０を押したまま）、続いて、固定側のポールＰ１の上端部から伸縮側のポールＰ２を引き上げ又は押し下げながら必要な高さまでスライドさせて高さを調節する。そして、伸縮側のポールＰ２の高さの調節後、操作ボタン４０を押す操作を解く。つまり、操作ボタン４０から手を離す。これにより、図３（１）に示すように、操作部材４はばね部材５により弾性復帰されて、操作部材４のクサビ形形状部４１がロック解除位置からロック位置に後退され、押圧ロック機構３の作用により、各環状ロック部材２が伸縮側のポールＰ２に対して略ハの字形に圧接されて、すなわち、各環状ロック部材２の高位置の内周縁部が伸縮側のポールＰ２の上部に、低位置の内周縁部が伸縮側のポールＰ２の下部に、それぞれ、圧接されて、ロックし、伸縮式のボールＰ２の高さが調節後の高さに固定される。
【００１６】
以上説明したように、このロックユニットＵによれば、固定側のポールＰ１の一端部に設けたハウジング１（伸縮側ポール挿通部１２）内で伸縮側のポールＰ２を、常態として、一対の環状ロック部材２により略ハの字形に圧接してロックし、ハウジング１周面の操作ボタンの４０のワンタッチの押操作により、ハウジング１（伸縮側ポール挿通部１２）内でクサビ形形状部４１により各環状ロック部材２間を押し開き、伸縮側のポールＰ２のロックを解除するようにしたので、ロックユニットＵの簡単な操作で、伸縮式ポールのロック及びロック解除を確実かつ瞬時に行え、伸縮式ポールの高さ又は長さの調節を容易に行うことができる。
また、このロックユニットＵでは、押圧ロック機構３は、伸縮側ポール挿通部１２内でこの挿通部１２に挿通される伸縮側のポールＰ２に通されて、伸縮側のポールＰ２上で各環状ロック部材２の外側に配置され、各環状ロック部材２側の面３１１が斜めに形成されて当該両面３１１が略ハの字形をなし、各環状ロック部材２を略ハの字形に斜めに押圧案内する一対の筒状押圧部材３１と、伸縮側ポール挿通部１２内で操作部材取付部１３に対向する位置に配置固定され、各環状ロック部材２に対向する面３２１が略ハの字形の斜めに形成されて、各環状ロック部材２を略ハの字形に斜めに支持案内するガイドストッパー３２と、伸縮側ポール挿通部１２内で各筒状押圧部材３１の外側に配置され、各筒状押圧部材３１を内側に向けて押圧し、各筒状押圧部材３１の各斜めの面３１１とガイドストッパー３２の各斜めの面３２１との間で各環状ロック部材２を伸縮側のポールＰ２に対して略ハの字形に圧接する一対のコイルスプリング３３とにより構成されるので、伸縮側のポールＰ２を、簡単な装置構成で確実にロックすることができる。
さらに、このロックユニットＵでは、操作部材取付部１３がハウジング１の伸縮側ポール挿通部１２の外周面に所定の厚さで略直方体状の凸状に形成され、操作部材取付部１３の略中央に透孔１３０、その両側にばね部材５としてコイルスプリングを装填するための複数の溝１３１がそれぞれ形成され、操作部材４は、操作ボタン４０が略直方体状のケース状又は板状に形成され、操作ボタン４０の内面の略中央にクサビ形形状部４１、その両側に複数の凸部４２がそれぞれ突設されて、クサビ形形状部材４１が透孔１３０に挿通されるとともに、各凸部４２が各溝１３１内にコイルスプリング５を介して配置されて、ハウジング１の操作部材取付部１３に装着されるので、簡単な装置構成で、操作ボタン４０を押しやすく、また、解除しやすくし、ロック、ロック解除を確実に行うことができる。
またさらに、このロックユニットＵでは、操作部材取付部１３に透孔１３０の両側にガイドスリット１３２が形成され、操作ボタン４０の内面のクサビ形形状部４１の両側にガイド片４３がそれぞれ突設されるので、これらガイドスリット１３２とガイド片４３との係合案内により、クサビ形形状部４１をロック位置からロック解除位置に確実に挿入し、各環状ロック部材２を押し開いて、伸縮側のポールＰ２のロックを確実に解除することができる。
【００１７】
なお、このロックユニットＵにおいて、各部材の形状は種々に変更可能である。また、各ばね部材は機能的に同様であれば、種々に変更可能である。
また、この実施の形態では、伸縮ポール用のロックユニットを例示したが、一対の支柱と各支柱間に架け渡されるバーとからなる洋服掛け、コート掛けなどの各支柱に伸縮ポールを使用する場合にも、このロックユニットを同様にして用いることができる。
【００１８】
また、このフレキシブルロックユニットは、既述のとおり、中空の一方のポール内に他方のポールが挿通され、一方のポールを可動側、他方のポールを固定側として、一方のポールを他方のポール上でスライドさせる形式の一方のポールと他方のポールとをロックするのに用いることもでき、その具体例を図４、図５に示している。
図４はモニターなどの各種の装置を上下方向にスライド可能に支持する支持スタンドを示している。この支持スタンドは、中空の短い一方のポールＰ１と、このポールＰ１内に挿通される長いポールＰ２とからなり、短いポールＰ１が長いポールＰ２上で上下方向にスライド可能になっている。短いポールＰ１にアームＡが取り付けられて、このアームＡにモニターＭが固定される。この場合、短いポールＰ１の下端にロックユニットＵが連結されて、このロックユニットＵにより短いポールＰ１が長いポールＰ２の任意の高さにロック可能になっている。モニターＭの高さを変更する場合、ロックユニットＵの操作ボタン４０を押しながら、長いポールＰ２上で短いポールＰ１を上下にスライドさせればよい。
図５はモニターＭなどの各種の装置を水平方向にスライド可能に支持する支持装置を示している。この支持装置は、中空の短い一対の一方のポールＰ１と、これらのポールＰ１内に挿通される長いポールＰ２とからなり、短い各ポールＰ１が長いポールＰ２上で水平方向にスライド可能になっている。この場合、短い各ポールＰ１にそれぞれアームＡが取り付けられて、これらのアームＡにモニターＭが吊り下げられる。この場合、ロックユニットＵは両端に一方のポール連結部１１が設けられ、短い各ポールＰ１間に連結されて、このロックユニットＵにより短い各ポールＰ１が長いポールＰ２の長さ方向任意の位置にロック可能になっている。モニターＭの位置を変更する場合、ロックユニットＵの操作ボタン４０を押しながら、長いポールＰ２上で短い各ポールＰ１を水平方向にスライドさせればよい。
【符号の説明】
【００１９】
Ｐ１  固定側のポール
Ｐ２  伸縮側のポール
Ａ  アーム
Ｍ  モニター
Ｕ  伸縮式ポール用ロックユニット
１  ハウジング
１１  固定側ポール連結部（一方のポール連結部）
１２  伸縮側ポール挿通部（他方のポール挿通部）
１２０  開口
１２１  ばね受け
１２２  リング部材
１３  操作部材取付部
１３０  透孔
１３１  溝
１３２  ガイドスリット
２  環状ロック部材
２０  穴
２１  孔
３  押圧ロック機構
３０  穴
３１  筒状押圧部材
３１１  面
３１１Ｐ  突起
３１２  面
３１３  ばね受け
３２  ガイドストッパー
３２１  面
３３  コイルスプリング
４  操作部材
４０  操作ボタン
４１  クサビ形形状部
４２  凸部
４３  ガイド片
５  ばね部材（コイルスプリング）
【図１】
0006712148.tif 000002
【図２】
0006712148.tif 000003
【図３】
0006712148.tif 000004
【図４】
0006712148.tif 000005
【図５】
0006712148.tif 000006